(57)【要約】【課題】  撮影領域でレンズ群間の相対距離がバリア開閉駆動を行うほど短くなる場合であっても、沈端動作の場合のみ開閉するバリア機構を備えたレンズ鏡筒を提供すること。【解決手段】  少なくとも二つのレンズ群１ａ，２ａを有するズームレンズを備えたカメラであり、ズームレンズの各レンズ群をズーム駆動するレンズ駆動部材を備え、レンズ群間の距離の相対変化を用いてレンズ鏡筒前面にある保護バリア５の開閉駆動を行うカメラにおいて、通常の撮影領域では退避し、撮影状態から沈端への作動過程においては、レンズ駆動部材によって二つのレンズ群と連動する位置に進入するバリア連動部材を備えた。【選択図】        図２
2007004006.tif 000002
【特許請求の範囲】
【請求項１】
少なくとも二つのレンズ群を有するズームレンズを備えたカメラであって、前記ズームレンズの各レンズ群をズーム駆動するレンズ駆動部材を備え、前記レンズ群間の距離の相対変化を用いてレンズ鏡筒前面にある保護バリアの開閉駆動を行うカメラにおいて、
通常の撮影領域では退避し、撮影状態から沈胴への作動過程においては、前記二つのレンズ群と連動する位置に進入するバリア連動部材を有するレンズ鏡筒を備えたことを特徴とするカメラ。
【請求項２】
請求項１記載のカメラにおいて、前記バリア連動部材は前記レンズ駆動部材によって前記二つのレンズ群と連動する位置に進入することを特徴とするカメラ。
【発明の詳細な説明】
【技術分野】
【０００１】
本発明は、カメラ、特にカメラのレンズ鏡筒前面にある保護バリア開閉の駆動機構、詳しくは、レンズ鏡筒の沈胴動作を伴うズームカメラで、その沈胴力を利用し、レンズ群間の相対変化によってバリア開閉駆動を行うカメラに関する。
【背景技術】
【０００２】
従来、レンズ鏡筒が撮影状態から沈胴状態にうつると第１レンズ群とともに移動するバリア開閉部材が、バリア連動部材と接触してバリアを閉じる動作を行った。バリア連動部材は鏡筒の固定部や他のレンズ群等、沈胴時に第１レンズ群との距離が最短になる部品に取り付けられている場合が多い（例えば、特許文献１参照）。
【特許文献１】特開平７−００５５４７号公報（第２頁、図１）
【発明の開示】
【発明が解決しようとする課題】
【０００３】
しかしながら、これらの構成では、撮影領域でレンズ群間の相対距離がバリア開閉駆動を行う距離にならないことが必要があり、撮影領域でレンズ群間の相対距離が、バリア開閉を行うレンズ群間の相対距離になってしまうと撮影領域でもバリアが閉じてしまうという不具合がある。
【０００４】
そこで、本発明の目的は、撮影領域でレンズ群間の相対距離がバリア開閉駆動を行うほど短くなる場合であっても、沈端動作の場合のみ開閉するバリア機構を有するレンズ鏡筒を備えたカメラを提供することである。
【課題を解決するための手段】
【０００５】
上記の目的を達成するために本出願に係る発明の目的を実現する構成は、少なくとも二つのレンズ群を有するズームレンズを備えたカメラであり、ズームレンズの各レンズ群をズーム駆動するレンズ駆動部材を備え、レンズ群間の距離の相対変化を用いてレンズ鏡筒前面にある保護バリアの開閉駆動を行うカメラにおいて、通常の撮影領域では退避し、撮影状態から沈端への作動過程においては、レンズ駆動部材によって二つのレンズ群と連動する位置に進入するバリア連動部材を備えたことを特徴とする。
【発明の効果】
【０００６】
本発明によれば、少なくとも二つのレンズ群を有するズームレンズを備えたカメラであり、ズームレンズの各レンズ群をズーム駆動するレンズ駆動部材を備え、レンズ群間の距離の相対変化を用いてレンズ鏡筒前面にある保護バリアの開閉駆動を行うカメラにおいて、通常の撮影領域では退避し、撮影状態から沈端への作動過程においては、レンズ駆動部材によって二つのレンズ群と連動する位置に進入するバリア連動部材を備えたことで、撮影領域でレンズ群間の相対距離がバリア開閉駆動を行うほど短くなる場合であっても、沈端動作の場合のみ開閉するバリア機構を備えたレンズ鏡筒お呼び該レンズ鏡筒を備えたカメラを提供することができる。
【発明を実施するための最良の形態】
【０００７】
以下に本発明を実施するための最良の形態を、実施例に基づいて説明する。
【実施例】
【０００８】
以下、本発明の実施例を図１〜４に基づいて説明する。
【０００９】
図１〜４は本発明に係る実施例を示すものであり、図１は鏡筒のＷＩＤＥ状態を示す断面図、図２は鏡筒の沈胴状態を示す断面図、図３は鏡筒のＷＩＤＥから沈胴への作動途中状態を示す断面図、図４は鏡筒のＴＥＬＥ状態を示す断面図である。
【００１０】
図１〜４において、１の１群レンズｕは、１群レンズ１ａ、シャッター１ｂ、バリア開閉連動レバー３、及びバリア５で構成されている。バリア開閉連動レバー３は、撮影光軸と垂直な方向の軸であるバリア開閉連動レバー回転軸３ａで１群レンズｕ１に取り付けられており、不図示の付勢バネによって、バリア開閉連動レバー３の後端（図右端）が光軸から離れる方向に付勢されている。２の２群レンズｕは、２群レンズ２ａとレンズホルダーで構成されており、レンズホルダーの一部にバリア開閉連動レバー作動部２ｂがある。直進筒４の一部にはバリア開閉レバー作動部４ａが設けられている。
【００１１】
図１に示すように撮影可能状態では、バリア５は開いた状態であり、バリア開閉連動レバー３は不図示の付勢バネによって光軸から離れる方向に付勢されている。この状態から図３の状態を経て、図２の沈胴状態になるまでの過程を以下に説明する。
【００１２】
図１の状態から沈胴動作が始まると１群レンズｕ１が不図示の本体の方向（図右方向）に移動を始める。このとき図３に示すように１群レンズｕ１と直進筒４との距離が縮まり、１群レンズｕ１にバリア開閉連動レバー回転軸３ａで取り付けられているバリア開閉連動レバー３の先端３ｂが直進筒４のレバー接触部４ａと接触する。これによりバリア開閉連動レバー３がバリア開閉連動レバー回転軸３ａを中心に光軸方向に回転し、１群レンズｕ１と２群レンズｕ２の間に侵入する。開閉連動レバー３が光軸方向に回転し、１群レンズｕ１と２群レンズｕ２の間に侵入した状態で２群レンズｕ２がカメラ前方に移動し、バリア開閉連動レバー作動部２ｂがバリア開閉連動レバー先端部３ｂと接触する。２群レンズｕ２はバリア開閉連動レバー作動部２ｂとバリア開閉連動レバー先端部３ｂとが接触した状態で、さらに１群レンズｕ１との距離を縮め、これによりバリア開閉連動レバー３がバリア５を閉じる動作を行い図２の状態になる。
【００１３】
また、図１のＷＩＤＥ状態から図４のＴＥＬＥ状態になる場合でも１群レンズｕ１と２群レンズｕ２の距離が縮まるが、この場合は１群レンズｕ１と直進筒４の距離は縮まらないためバリア開閉連動レバー３は不図示の付勢バネによって光軸から離れる方向に付勢されたままとなり、１群レンズｕ１と２群レンズｕ２の間に侵入しないため、バリア開閉連動レバー作動部２ｂとバリア開閉連動レバー先端３ｂが接触せず、バリア開閉連動レバー３がバリア５を閉じる動作が行われない。
【図面の簡単な説明】
【００１４】
【図１】本発明の実施例で、鏡筒のＷＩＤＥ状態を示す断面図
【図２】本発明の実施例で、鏡筒の沈胴状態を示す断面図
【図３】本発明の実施例で、鏡筒のＷＩＤＥから沈胴への作動途中状態を示す断面図
【図４】本発明の実施例で、鏡筒のＴＥＬＥ状態を示す断面図
【符号の説明】
【００１５】
１    １群レンズｕ
１ａ  １群レンズ
１ｂ  シャッター
２    ２群レンズｕ
２ａ  ２群レンズ
２ｂ  バリア開閉連動レバー作動部
３    バリア開閉連動レバー
３ａ  バリア開閉連動レバー回転軸
３ｂ  バリア開閉連動レバー先端部
４    直進筒
４ａ  直進筒レバー接触部
５    バリア
【図１】
2007004006.tif 000003
【図２】
2007004006.tif 000004
【図３】
2007004006.tif 000005
【図４】
2007004006.tif 000006